(57)【特許請求の範囲】
【請求項１】
上位ネットワーク装置に接続する無線基地局が管理する異なるセル間において端末間通信を行うための通信制御方法であって、
前記上位ネットワーク装置が、前記無線基地局が管理する所定セルに、複数のセル間で同期されるＭＢＳＦＮエリアを設定するステップと、
前記上位ネットワーク装置が、前記無線基地局に、前記ＭＢＳＦＮエリアにおいて共通しており、かつ前記端末間通信を行うために用いられる無線リソースを通知するステップと、
前記無線基地局が、前記所定セルにおいて、前記無線リソースを同報配信するステップと、
前記上位ネットワーク装置が、前記無線基地局に、前記ＭＢＳＦＮエリアとは異なるＭＢＳＦＮエリアにおける前記無線リソース及び前記ＭＢＳＦＮエリアと前記異なるＭＢＳＦＮとの同期のずれを通知するステップと、
前記無線基地局が、前記所定セルにおいて、前記異なるＭＢＳＦＮエリアにおける無線リソース及び前記同期のずれを同報配信するステップとを有することを特徴とする通信制御方法。
【請求項２】
前記無線リソースは、前記端末間通信を行う近接端末の発見に用いられる発見用リソース及び前記端末間通信に用いられる通信用リソースを含むことを特徴とする請求項１に記載の通信制御方法。
【請求項３】
前記無線リソースは、前記端末間通信を行う近接端末の発見に用いられる発見用リソースを含み、
前記無線基地局が、前記所定セルの負荷状況に応じて決定した前記端末間通信に用いられる通信用リソースを、前記所定セルに通知することを特徴とする請求項１に記載の通信制御方法。
【請求項４】
前記無線リソースは、前記ＭＢＳＦＮエリアを識別するＭＢＳＦＮエリア識別情報に対応付けられ、
前記通知するステップにおいて、前記上位ネットワーク装置は、前記無線リソースに対応付けられている前記ＭＢＳＦＮエリア識別情報を通知し、
前記同報配信するステップにおいて、前記無線基地局は、前記無線リソースに対応付けられている前記ＭＢＳＦＮエリア識別情報を同報配信することを特徴とする請求項１に記載の通信制御方法。
【請求項５】
上位ネットワーク装置に接続する無線基地局が管理する異なるセル間において端末間通信を行うための通信制御方法であって、
前記上位ネットワーク装置が、前記無線基地局が管理する所定セルに、複数のセル間で同期されるＭＢＳＦＮエリアを設定するステップと、
前記上位ネットワーク装置が、前記無線基地局に、前記ＭＢＳＦＮエリアにおいて共通しており、かつ前記端末間通信を行うために用いられる無線リソースを通知するステップと、
前記無線基地局が、前記所定セルにおいて、前記無線リソースを同報配信するステップと、
前記上位ネットワーク装置が、前記ＭＢＳＦＮエリアを含む複数のＭＢＳＦＮエリアに、該複数のＭＢＳＦＮエリア間で同期されるＭＢＳＦＮ同期エリアを設定するステップと、
前記上位ネットワーク装置が、前記無線基地局に、前記ＭＢＳＦＮエリアとは異なるＭＢＳＦＮエリアにおける前記無線リソースを通知するステップと、
前記無線基地局が、前記所定セルにおいて、前記異なるＭＢＳＦＮエリアにおける前記無線リソースを同報配信するステップとを有することを特徴とする通信制御方法。
【請求項６】
端末間通信が行われる異なるセルを管理する無線基地局に接続する上位ネットワーク装置であって、
前記無線基地局が管理する所定セルに、複数のセル間で同期されるＭＢＳＦＮエリアを設定する制御部を有し、
前記制御部は、前記無線基地局に、前記ＭＢＳＦＮエリアにおいて共通しており、かつ前記端末間通信を行うために用いられる無線リソースを通知し、
前記制御部は、前記無線基地局に、前記ＭＢＳＦＮエリアとは異なるＭＢＳＦＮエリアにおける前記無線リソース及び前記ＭＢＳＦＮエリアと前記異なるＭＢＳＦＮとの同期のずれを通知し、
前記異なるＭＢＳＦＮエリアにおける無線リソース及び前記同期のずれは、前記無線基地によって前記所定セルにおいて同報配信されることを特徴とする上位ネットワーク装置。
【請求項７】
端末間通信が行われる異なるセルを管理する無線基地局であって、
前記無線基地局が管理する所定セルには、複数のセル間で同期されるＭＢＳＦＮエリアが設定されており、
前記無線基地局と接続する上位ネットワーク装置から通知され、前記ＭＢＳＦＮエリアにおいて共通しており、かつ前記端末間通信を行うために用いられる無線リソースを、前記所定セルに同報配信する制御部を有し、
前記制御部は、前記ＭＢＳＦＮエリアとは異なるＭＢＳＦＮエリアにおける前記無線リソース及び前記ＭＢＳＦＮエリアと前記異なるＭＢＳＦＮとの同期のずれを示す通知を前記上位ネットワーク装置から受信し、
前記制御部は、前記所定セルにおいて、前記異なるＭＢＳＦＮエリアにおける無線リソース及び前記同期のずれを同報配信することを特徴とする無線基地局。
【発明の詳細な説明】
【技術分野】
【０００１】
本発明は、移動通信システムにおいて用いられる通信制御方法、上位ネットワーク装置及び無線基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）サービスの導入が検討されている（非特許文献１参照）。Ｄ２Ｄサービス（Ｄ２Ｄ  ＰｒｏＳｅ）には、近傍端末の発見（Ｄｉｓｃｏｖｅｒｙ）及び端末間通信（Ｃｏｍｍｕｎｉｃａｔｉｏｎ）が含まれる。【０００３】
ここで、同一セル内でのＤ２Ｄ（Ｉｎｔｒａ−ｃｅｌｌ  Ｄ２Ｄ）サービスには、セル内で予め決められているＤ２Ｄサービスに用いられるＤ２Ｄ用無線リソース（ｒｅｓｏｕｒｃｅ  ｐｏｏｌ）が用いられる。【０００４】
一方、異なるセル間でＤ２Ｄサービス（Ｉｎｔｅｒ−ｃｅｌｌ  Ｄ２Ｄサービス）を行うためには、異なるセル間での同期及びＤ２Ｄ用無線リソースの共有が必要である。
【先行技術文献】
【非特許文献】
【０００５】
【非特許文献１】３ＧＰＰ技術報告書「ＴＲ  ３６．８４３  Ｖ１．２．０」  ２０１４年３月１０日
【発明の概要】
【０００６】
ここで、異なるセル間での同期及びＤ２Ｄ用無線リソースの共有のためには、セルを管理する無線基地局間でセル間連携（Ｉｎｔｅｒ−ｃｅｌｌ  ｃｏｏｒｄｉｎａｔｉｏｎ）を行う必要がある。しかしながら、Ｄ２Ｄサービスにおいて無線基地局間インターフェイス（Ｘ２  ｉｎｔｅｒｆａｃｅ又はａｉｒ  ｉｎｔｅｒｆａｃｅ）を用いたセル間連携ができない場合があり得る。そのため、セル間連携ができずＩｎｔｅｒ−ｃｅｌｌ  Ｄ２Ｄサービスを開始できないといった問題がある。
【０００７】
そこで、上記課題を解決するため、本発明は、Ｄ２Ｄサービスに用いられる無線リソースをセル間で共有し、異なるセル間でのＤ２Ｄサービスを実行できる通信制御方法、上位ネットワーク装置及び無線基地局を提供することを目的とする。
【０００８】
第１の特徴における通信制御方法は、上位ネットワーク装置に接続する無線基地局が管理する異なるセル間において端末間通信を行うための方法である。前記通信制御方法は、前記上位ネットワーク装置が、前記無線基地局が管理する所定セルに、複数のセル間で同期されるＭＢＳＦＮエリアを設定するステップと、前記上位ネットワーク装置が、前記無線基地局に、前記ＭＢＳＦＮエリアにおいて共通しており、かつ前記端末間通信を行うために用いられる無線リソースを通知するステップと、前記無線基地局が、前記所定セルにおいて、前記無線リソースを同報配信するステップとを有する。
【０００９】
第２の特徴における上位ネットワーク装置は、端末間通信が行われる異なるセルを管理する無線基地局に接続する。前記上位ネットワーク装置は、前記無線基地局が管理する所定セルに、複数のセル間で同期されるＭＢＳＦＮエリアを設定する制御部を有する。前記制御部は、前記無線基地局に、前記ＭＢＳＦＮエリアにおいて共通しており、かつ前記端末間通信を行うために用いられる無線リソースを通知する。
【００１０】
第３の特徴における無線基地局は、端末間通信が行われる異なるセルを管理する。前記無線基地局が管理する所定セルには、複数のセル間で同期されるＭＢＳＦＮエリアが設定されている。前記無線基地局は、前記無線基地局と接続する上位ネットワーク装置から通知され、前記ＭＢＳＦＮエリアにおいて共通しており、かつ前記端末間通信を行うために用いられる無線リソースを、前記所定セルに同報配信する制御部を有する。
【図面の簡単な説明】
【００１１】
【図１】実施形態におけるＬＴＥシステムの構成図である。
【図２】実施形態におけるＵＥのブロック図である。
【図３】実施形態におけるｅＮＢのブロック図である。
【図４】実施形態におけるＯＡＭのブロック図である。
【図５】実施形態におけるＭＢＳＦＮエリアとＭＢＳＦＮ同期エリアとの関係を示す図である。
【図６】実施形態におけるＤ２Ｄサービスを説明するための図である。
【図７】実施形態における無線フレームの構成図である。
【図８】第１の実施形態における動作概要を示す図である。
【図９】第１の実施形態におけるシーケンス図である。
【図１０】第２の実施形態における動作概要を示す図である。
【図１１】第２の実施形態におけるシーケンス図である。
【図１２】第３の実施形態における動作概要を示す図である。
【図１３】第３の実施形態におけるシーケンス図である。
【図１４】実施形態におけるＳｙｓｔｅｍ  Ｉｎｆｏｒｍａｔｉｏｎ  Ｂｌｏｃｋの情報要素を示す図である。
【図１５】実施形態におけるＳｙｓｔｅｍ  Ｉｎｆｏｒｍａｔｉｏｎ  Ｂｌｏｃｋの情報要素の説明を示す図である。
【発明を実施するための形態】
【００１２】
以下、図面を参照しつつ、本発明の実施形態を説明する。
【００１３】
（システム構成）
図１は、実施形態におけるＬＴＥシステムの構成図である。図１に示すように、実施形態におけるＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０及びＥＰＣ（Ｅｖｏｌｖｅｄ  Ｐａｃｋｅｔ  Ｃｏｒｅ）２０及びＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）４００を備える。
【００１４】
ＵＥ１００は、ユーザ端末に相当する。ＵＥ１００は、移動型の通信装置であり、接続先のセル（サービングセル）との無線通信を行う。ＵＥ１００の構成については後述する。
【００１５】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００１６】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００１７】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥ３００は、ＵＥ１００に対する各種モビリティ制御等を行う。Ｓ−ＧＷは、ユーザデータの転送制御を行う。ＭＭＥ／Ｓ−ＧＷ３００は、Ｓ１インターフェイスを介してｅＮＢ２００と接続される。
【００１８】
ＯＡＭ４００は、ｅＮＢ２００に対して上位の上位ネットワークに含まれる上位ネットワーク装置に相当する。ＯＡＭ４００は、運用保守管理装置である。ＯＡＭ４００は、ｅＮＢ２００及びＭＭＥ／Ｓ−ＧＷ３００と接続し、ｅＮＢ２００及びＭＭＥ／Ｓ−ＧＷ３００の監視や設定変更等を行う。なお、ＯＡＭ４００がｅＮＢ２００と直接接続していない場合等、ＭＭＥ／Ｓ−ＧＷ３００を介して、ｅＮＢ２００と通信する。なお、上位ネットワークは、コアネットワークを含む。したがって、上位ネットワーク装置は、コアネットワークに含まれる場合もある。
【００１９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０ａとしてもよい。
【００２０】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２１】
ユーザインターフェイス１２０は、ＵＥ１００を所持するユーザとのインターフェイスであり、例えば、ディスプレイ、マイク、スピーカ及び各種ボタン等を含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２２】
メモリ１５０は、プロセッサ１６０により実行されるプログラム及びプロセッサ１６０による処理に使用される情報を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００２３】
図３は、ｅＮＢ２００のブロック図である。図３に示すように、ｅＮＢ２００は、アンテナ２０１、無線送受信機２１０、ネットワークインターフェイス２２０、メモリ２３０及びプロセッサ２４０を備える。
【００２４】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００２７】
図４は、ＯＡＭ４００のブロック図である。図４に示すように、ＯＡＭ４００は、ネットワーク通信部４１０、記憶部４２０及び制御部４３０を有する。
【００２８】
ネットワーク通信部４１０は、ｅＮＢ２００及びＭＭＥ／Ｓ−ＧＷ３００との通信を行う。記憶部４２０は、例えばメモリを用いて構成され、保守監視装置ＯＡＭの制御等に用いられる各種の情報を記憶する。制御部４３０は、例えばＣＰＵを用いて構成され、ＯＡＭ４００が備える各種の機能を制御する。
【００２９】
制御部４３０は、ＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）エリア管理部４３１、ＭＢＳＦＮ同期エリア管理部４３２及びＤ２Ｄ用無線リソース管理部４３３を有する。
【００３０】
ＭＢＳＦＮエリア管理部４３１は、ｅＮＢ２００が管理するセルとＭＢＳＦＮエリア（ＭＢＳＦＮ  Ａｒｅａ）を一意に識別するＭＢＳＦＮエリアＩＤ（ＭＢＳＦＮエリア識別情報）とを対応付けて管理する。ＭＢＳＦＮエリア管理部４３１は、ネットワーク通信部４１０を介して、ｅＮＢ２００にＭＢＳＦＮエリアＩＤを含む設定信号を送信し、ＭＢＳＦＮエリアを設定する。ＭＢＳＦＮエリアの詳細は後述する。
【００３１】
ＭＢＳＦＮ同期エリア管理部４３２は、ｅＮＢ２００が管理するセルとＭＢＳＦＮ同期エリア（ＭＢＳＦＮ  Ｓｙｎｃｈｒｏｎｉｚａｔｉｏｎ  Ａｒｅａ）を一意に識別するＭＢＳＦＮ同期エリアＩＤとを対応付けて管理する。なお、ＭＢＳＦＮ同期エリア管理部４３２は、ＭＢＳＦＮ同期エリアＩＤをＭＢＳＦＮエリアに対応付けて管理してもよい。ＭＢＳＦＮ同期エリア管理部４３２は、ネットワーク通信部４１０を介して、ｅＮＢ２００にＭＢＳＦＮ同期エリアＩＤを含む設定信号を送信し、ＭＢＳＦＮ同期エリアを設定する。
【００３２】
（ＭＢＳＦＮエリア／ＭＢＳＦＮ同期エリア）
ここで、図５を用いて、ＭＢＳＦＮエリア、ＭＢＳＦＮ同期エリア及びこれらの関係について説明する。図５は、ＭＢＳＦＮ同期エリアとＭＢＳＦＮエリアとの関係を示す図である。
【００３３】
ＭＢＳＦＮエリアとは、共通チャネルを使用した同報配信サービスであるＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）サービスにおいて、セル間で同期されるエリアである。セル間の同期とは、同一の時間の基準の元で各セルが動作していることをいう。図５の例では、ｅＮＢ２００−１、２、３がそれぞれ管理する所定のセルであるセル＃１、セル＃２、セル＃３にはＭＢＳＦＮエリア＃１が設定されている。同様に、ｅＮＢ２００−４、５がそれぞれ管理するセル＃４、セル＃５には、ＭＢＳＦＮエリア＃２が設定されている。ｅＮＢ２００−６が管理するセル＃６には、ＭＢＳＦＮエリア＃３が設定されている。ｅＮＢ２００−７、８がそれぞれ管理するセル＃７，セル＃８には、ＭＢＳＦＮエリア＃４が設定されている。したがって、ＭＢＳＦＮエリア＃１が設定されているセル＃１、セル＃２、セル＃３間で同期されている。なお、ＭＢＳＦＮエリアに含まれるセルの数は任意である。
【００３４】
ＭＢＳＦＮ同期エリアは、ＭＢＳＦＮエリア間で同期されるエリアである。ＭＢＳＦＮエリア間の同期とは、同一の時間の基準の元で各ＭＢＳＦＮエリアが動作していることをいう。ＭＢＳＦＮ同期エリアは一つ以上のＭＢＳＦＮエリアを含む。図５の例では、ＭＢＳＦＮエリア＃１〜＃３には、ＭＢＳＦＮ同期エリア＃１が設定されている。同様に、ＭＢＳＦＮエリア＃４、・・・には、ＭＢＳＦＮ同期エリア＃２が設定されている。なお、ＭＢＳＦＮ同期エリア内のセルは複数のＭＢＳＦＮエリアを構成してもよい。
【００３５】
図４に戻り説明する。ＯＡＭ４００が備えるＤ２Ｄ用無線リソース管理部４３３は、Ｄ２Ｄサービスに用いられる無線リソース（Ｄ２Ｄ用無線リソース）であるリソースプールを管理する。Ｄ２Ｄ用無線リソース管理部４３３は、Ｄ２Ｄ用無線リソースを、ＭＢＳＦＮエリア（ＭＢＳＦＮエリアＩＤ）毎に対応付けて管理する。そして、Ｄ２Ｄ用無線リソース管理部４３３は、ネットワーク通信部４１０を介して、ｅＮＢ２００にＤ２Ｄ用無線リソースを通知する。
【００３６】
Ｄ２Ｄ用無線リソースは、端末間通信を行う近接端末の発見に用いられる発見用リソース（Ｄｉｓｃｏｖｅｒｙリソース）と、端末間通信に用いられる通信用リソース（Ｃｏｍｍｕｎｉｃａｔｉｏｎリソース）とを含む。Ｄ２Ｄ用無線リソースは、ｅＮＢ２００により所定のセルに同報配信される情報である。
【００３７】
Ｄ２Ｄ用無線リソースは、所定の周波数帯においてＤ２Ｄサービスに使用可能な／使用する周波数リソースに関する周波数情報を含んでもよい。周波数情報は、リソースブロック番号、リソースブロック範囲及び周波数ホッピングパターンのうち少なくとも１つである。
【００３８】
Ｄ２Ｄ用無線リソースは、所定の周波数帯においてＤ２Ｄ通信に使用可能な／使用する時間リソース（サブフレーム）に関する時間情報を含んでもよい。時間情報は、システムフレーム番号、サブフレーム番号、開始／終了サブフレーム、送信期間、送信間隔及び繰り返し回数のうち少なくとも１つである。
【００３９】
（Ｄ２Ｄサービス）
実施形態におけるＬＴＥシステムは、直接的な端末間通信（ＵＥ間通信）であるＤ２Ｄサービスをサポートする。図６は、実施形態におけるＤ２Ｄサービスを説明するための図である。
【００４０】
ここでは、Ｄ２Ｄサービスを、ＬＴＥシステムの通常の通信であるセルラ通信と比較して説明する。セルラ通信は、データパスがネットワーク（Ｅ−ＵＴＲＡＮ１０、ＥＰＣ２０）を経由する通信形態である。データパスとは、ユーザデータの伝送経路である。
【００４１】
これに対し、図６に示すように、Ｄ２Ｄサービスは、ＵＥ間に設定されるデータパスがネットワークを経由しない通信形態である。相互に近接する複数のＵＥ１００（ＵＥ１００−１及びＵＥ１００−２）は、直接的に無線通信を行う。
【００４２】
このように、近接する複数のＵＥ１００が直接的に無線通信を行うことにより、セルラ通信と比べて、複数のＵＥ１００が近接していることを検出でき、かつ、ＥＰＣ２０を経由するトラフィック量を削減できる。
【００４３】
また、近接する複数のＵＥ１００が低送信電力で直接的に無線通信を行った場合、セルラ通信と比べて、ＵＥ１００の消費電力を削減し、かつ、隣接セルへの干渉を低減できる。
【００４４】
Ｄ２Ｄ通信の周波数帯は、セルラ通信の周波数帯と共用されてもよく、セルラ通信の周波数帯と異なる周波数帯であってもよい。実施形態では、周波数利用効率の観点から、Ｄ２Ｄサービスに用いられる周波数帯がセルラ通信の周波数帯と共用されるケースを想定する。
【００４５】
また、実施形態では、下位レイヤにおけるＤ２Ｄサービスの形態として主としてブロードキャストを想定する。例えばＤ２ＤサービスにＣＳＭＡ（Ｃａｒｒｉｅｒ  Ｓｅｎｓｅ  Ｍｕｌｔｉｐｌｅ  Ａｃｃｅｓｓ）が適用される。このようなブロードキャストによるＤ２Ｄ通信は、災害時等における公安（Ｐｕｂｌｉｃ  Ｓａｆｅｔｙ）の用途に特に好適である。なお、上位レイヤで暗号化等を行うことにより、グループキャスト（マルチキャスト）又はユニキャストに応用可能である。
【００４６】
さらに実施形態におけるＤ２Ｄサービスは、異なるセル間でのＤ２Ｄサービス（Ｉｎｔｅｒ−ｃｅｌｌ  Ｄ２Ｄサービス）である。図６の例では、セル＃１に在圏するＵＥ１００−１とセル＃２に在圏するＵＥ１００−２とがＤ２Ｄサービスを実行している場合を示している。また、Ｉｎｔｅｒ−ｃｅｌｌ  Ｄ２Ｄサービスの場合、例えばＤｉｓｃｏｖｅｒｙを行う端末が、発見される対象となるセルのＤ２Ｄ用無線リソースを取得し、Ｄｉｓｃｏｖｅｒｙを行う。また、Ｃｏｍｍｕｎｉｃａｔｉｏｎにおいて、例えば、Ｄ２Ｄ通信の受信側の端末が、送信側のセルのＤ２Ｄ用無線リソースを取得し、Ｃｏｍｍｕｎｉｃａｔｉｏｎを行う。
【００４７】
（無線フレーム）
図７は、実施形態における無線フレームの構成図である。無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４８】
上述したように、Ｉｎｔｅｒ−ｃｅｌｌ  Ｄ２Ｄサービスを行うためには、ＵＥ１００が他のセルのＤ２Ｄ用無線リソースを用いる必要がある。通常、Ｘ２インターフェイスを介したＩｎｔｅｒ−ｃｅｌｌ  ｃｏｏｒｄｉｎａｔｉｏｎにより、ＵＥ１００が他のセルのＤ２Ｄ用無線リソースを取得するが、Ｘ２インターフェイスを介した通信ができない場合がある。
【００４９】
そこで、以下に示す第１の実施形態〜第３の実施形態において、Ｘ２インターフェイスを介したＩｎｔｅｒ−ｃｅｌｌ  ｃｏｏｒｄｉｎａｔｉｏｎを行うことなく、Ｉｎｔｅｒ−ｃｅｌｌ  Ｄ２Ｄサービスを実現するための手順を説明する。
【００５０】
［第１の実施形態］
（動作概要）
図８は、第１の実施形態における動作概要を説明するための図である。図８に示すように、ｅＮＢ２００−１、２００−２、２００−３がそれぞれ管理するセル＃１、＃２、＃３には、セル間で同期されているＭＢＳＦＮエリア＃１が設定されている。
【００５１】
第１の実施形態では、ＯＡＭ４００が、同じＭＢＳＦＮエリア＃１が設定されているセル＃１〜＃３を管理するｅＮＢ２００−１〜２００−３に対して、共通するＤ２Ｄ用無線リソースであるリソースプール＃１を通知する。
【００５２】
次に、ｅＮＢ２００−１〜２００−３は、それぞれが管理するセル＃１〜＃３に対して、リソースプール＃１を同報配信する。Ｄ２Ｄ用無線リソースであるリソースプール＃１は、ＭＢＭＳ用のＳＩＢ（Ｓｙｓｅｔｍ  Ｉｎｆｏｒｍａｔｉｏｎ  Ｂｌｏｃｋ）１３又はＤ２Ｄ用の新たなＳＩＢに含めて同報配信される。なお、Ｄ２Ｄ用無線リソースを含むＳＩＢの構成は後述する。
【００５３】
そして、セル＃１に在圏するＵＥ１００−１とセル＃２に在圏するＵＥ１００−２とは、各セル内で同報配信されたリソースプール＃１を用いて、Ｉｎｔｅｒ−ｃｅｌｌ  Ｄ２Ｄサービスを行う。
【００５４】
（シーケンス）
図９は、第１の実施形態におけるシーケンス図である。図９の例では、ｅＮＢ２００−１が管理するセル＃１に在圏するＵＥ１００−１と、ｅＮＢ２００−２が管理するセル＃２に在圏するＵＥ１００−２とがＩｎｔｅｒ−ｃｅｌｌ  Ｄ２Ｄサービスを行うまでの動作手順を示している。なお、ｅＮＢ２００は任意の数であってもよい。
【００５５】
ステップＳ１０１において、ＯＡＭ４００は、ｅＮＢ２００−１に対して、セルに設定するＭＢＳＦＮエリアＩＤ（ＭＢＳＦＮエリア＃１）を含む信号を送信し、ＭＢＳＦＮエリアを設定する。ｅＮＢ２００−１は、受信した信号に基づき、管理しているセル＃１にＭＢＳＦＮエリア＃１を設定する。
【００５６】
ステップＳ１０２において、ＯＡＭ４００は、ｅＮＢ２００−２に対して、セルに設定するＭＢＳＦＮエリアＩＤ（ＭＢＳＦＮエリア＃２）を含む信号を送信し、ＭＢＳＦＮエリアを設定する。ｅＮＢ２００−２は、受信した信号に基づき、管理しているセル＃２にＭＢＳＦＮエリア＃１を設定する。
【００５７】
これにより、ＭＢＳＦＮエリア＃１が設定されたセル＃１とセル＃２との間で同期がとられている。
【００５８】
ステップＳ１０３において、ＯＡＭ４００は、ｅＮＢ２００−１に対して、ＭＢＳＦＮエリア＃１において共通するＤ２Ｄ用無線リソース（リソースプール＃１）を通知する。
【００５９】
ステップＳ１０４において、ＯＡＭ４００は、ｅＮＢ２００−２に対して、ＭＢＳＦＮエリア＃１において共通するＤ２Ｄ用無線リソース（リソースプール＃１）を通知する。
【００６０】
ステップＳ１０５において、ｅＮＢ２００−１は、管理するセル＃１に対して、リソースプール＃１を同報配信する。セル＃１に在圏するＵＥ１００−１は、同報配信されたリソースプール＃１を受信する。
【００６１】
ステップＳ１０６において、ｅＮＢ２００−２は、管理するセル＃２に対して、リソースプール＃１を同報配信する。セル＃２に在圏するＵＥ１００−２は、同報配信されたリソースプール＃１を受信する。
【００６２】
なお、ステップＳ１０３〜Ｓ１０６におけるＤ２Ｄ用無線リソースには、発見用リソースと通信用リソースとが含まれている。
【００６３】
ステップＳ１０７において、ＵＥ１００−１とＵＥ１００−２とがＭＢＳＦＮエリア＃１において共通するＤ２Ｄ用無線リソース（リソースプール＃１）を用いて、異なるセル間でＤ２Ｄ  Ｄｉｓｃｏｖｅｒｙ／Ｃｏｍｍｕｎｉｃａｔｉｏｎを行う。
【００６４】
上述したように、第１の実施形態によれば、ＯＡＭ４００が異なるセルにＭＢＳＦＮエリアを設定することで、セル間における同期を提供できる。また、ＯＡＭ４００が所定セルを管理するｅＮＢ２００のそれぞれに対して、ＭＢＳＦＮエリアにおいて共通するＤ２Ｄ用無線リソースを通知することで、各セル間でのＤ２Ｄ無線リソースを共有できる。これにより、無線基地局間インターフェイスによるＩｎｔｅｒ−ｃｅｌｌ  ｃｏｏｒｄｉｎａｔｉｏｎが行われない場合であってもＩｎｔｅｒ−ｃｅｌｌ  Ｄ２Ｄサービスを実現できる。
【００６５】
また、第１の実施形態では、セル間で同期されるＭＢＳＦＮエリアの設定を、Ｄ２Ｄサービスに適用するため、大規模な開発を伴わず容易にＩｎｔｅｒ−ｃｅｌｌ  Ｄ２Ｄサービスを実現できる。
【００６６】
なお、ＯＡＭ４００がｅＮＢ２００に対してＩｎｔｅｒ−ｃｅｌｌ  Ｄ２Ｄサービスのために必要な最低限のＤ２Ｄ用無線リソースを設定し、ｅＮＢ２００が負荷状況に応じて、カバレッジ内（Ｉｎ  ｃｏｖｅｒａｇｅ）／部分的カバレッジ（Ｐａｒｔｉａｌ  ｃｏｖｅｒａｇｅ）用に無線リソースを追加で設定し、所定セルに通知してもよい。Ｉｎ  ｃｏｖｅｒａｇｅは、Ｄ２Ｄサービスがサポートされているセルカバレッジ内にＤ２Ｄサービスを行うＵＥ１００が全て存在している場合である。Ｐａｒｔｉａｌ  ｃｏｖｅｒａｇｅは、セルカバレッジ内に一部のＵＥ１００が位置し、残りのＵＥ１００がセルカバレッジ外に位置する場合である。
【００６７】
なお、図９のステップＳ１０３〜Ｓ１０６におけるＤ２Ｄ用無線リソースは、発見用リソース又は通信用リソースのいずれかのみを含むようにしてもよい。
【００６８】
また、ＵＥ１００が、ＭＢＳＦＮエリアが設定されているセルに在圏しており、かつＩｎｔｅｒ−ｃｅｌｌ  Ｄ２Ｄサービスに興味がある場合、ＵＥ１００がＤ２Ｄ用無線リソースを取得するためにＵＥ１００及びｅＮＢ２００は次の動作を行ってもよい。ＵＥ１００がＤ２Ｄサービスを行う際、サービングセルを管理するｅＮＢ２００に対して、Ｄ２Ｄ用無線リソースを取得するための要求とともに、Ｉｎｔｅｒ−ｃｅｌｌ  Ｄ２Ｄサービス興味情報を送信する。Ｉｎｔｅｒ−ｃｅｌｌ  Ｄ２Ｄサービス興味情報は、ＵＥ１００がＩｎｔｅｒ−ｃｅｌｌ  Ｄ２Ｄサービスに興味があることを示す情報である。そして、ｅＮＢ２００は、受信したＩｎｔｅｒ−ｃｅｌｌ  Ｄ２Ｄサービス興味情報に基づき、ＭＢＳＦＮエリアにおいて共通するリソースプールからＤ２Ｄ用無線リソースを決定し、ＵＥ１００に決定したＤ２Ｄ用無線リソースを割り当てる。
【００６９】
［第２の実施形態］
第２の実施形態では、異なるＭＢＳＦＮエリアが設定されているセル間でのＤ２Ｄサービスを実現する。
【００７０】
（動作概要）
図１０は、第２の実施形態における動作概要を説明するための図である。図１０に示すように、ｅＮＢ２００−１、・・・、２００−３がそれぞれ管理するセル＃１、・・・、セル＃３には、ＭＢＳＦＮエリア＃１が設定されている。ｅＮＢ２００−４、・・・が管理するセル＃４、・・・には、ＭＢＳＦＮエリア＃２が設定されている。ｅＮＢ２００−６が管理するセル＃６には、ＭＢＳＦＮエリア＃３が設定されている。ＭＢＳＦＮエリア＃１とＭＢＳＦＮエリア＃２とＭＢＳＦＮエリア＃３とには、ＭＢＳＦＮエリア間で同期されるＭＢＳＦＮ同期エリア＃１が設定されている。
【００７１】
第２の実施形態では、ＯＡＭ４００が、ＭＢＳＦＮエリア＃１、＃２、＃３が設定されているセルを管理するｅＮＢ２００に対して、それぞれＭＢＳＦＮエリア内で共通するＤ２Ｄ用無線リソースであるリソースプール＃１、＃２，＃３を通知する。さらに、ＯＡＭ４００は、ＭＢＳＦＮエリア＃１に含まれるｅＮＢ２００に対して、ＭＢＳＦＮ同期エリア＃１内のＭＢＳＦＮ＃１と異なるＭＢＳＦＮエリア（ＭＢＳＦＮ＃２、ＭＢＳＦＮ＃３）のＤ２Ｄ用無線リソース（リソースプール＃２、リソースプール＃３）を通知する。同様に、ＯＡＭ４００は、ＭＢＳＦＮエリア＃２に含まれるｅＮＢ２００に対して、ＭＢＳＦＮ同期エリア＃１内のＭＢＳＦＮ＃２と異なるＭＢＳＦＮエリア（ＭＢＳＦＮ＃１、ＭＢＳＦＮ＃３）のＤ２Ｄ用無線リソース（リソースプール＃１、リソースプール＃３）を通知する。
【００７２】
次に、ｅＮＢ２００は、それぞれが管理するセルに対して、ＯＡＭ４００から通知されたＤ２Ｄ用無線リソースを同報配信する。
【００７３】
そして、図１０の例では、セル＃３に在圏するＵＥ１００−３とセル＃４に在圏するＵＥ１００−４とは、各セル内で同報配信された、他のＭＢＳＦＮエリアのＤ２Ｄ用無線リソースを用いて、Ｉｎｔｅｒ−ｃｅｌｌ  Ｄ２Ｄサービスを行う。
【００７４】
（シーケンス）
図１１は、第２の実施形態におけるシーケンス図である。図１１のシーケンス図の前提として、ｅＮＢ２００−１、２００−２、２００−３にはＭＢＳＦＮエリア＃１が設定されており、ｅＮＢ２００−４、２００−５にはＭＢＳＦＮエリア＃２が設定されており、ｅＮＢ２００−６にはＭＢＳＦＮエリア＃３が設定されている。図１１の例では、ｅＮＢ２００−３が管理するセル＃３に在圏するＵＥ１００−３と、ｅＮＢ２００−４が管理するセル＃４に在圏するＵＥ１００−４とがＩｎｔｅｒ−ｃｅｌｌ  Ｄ２Ｄサービスを行うまでの動作手順を示している。なお、ｅＮＢ２００及びＭＢＳＦＮエリアの数は任意であってよい。
【００７５】
ステップＳ２０１において、ＯＡＭ４００は、ｅＮＢ２００−１〜２００−６に対して、ＭＢＳＦＮエリアＩＤに対応付けられるＭＢＳＦＮ同期エリアＩＤ（ＭＢＳＦＮ同期エリア＃１）を含む信号を送信し、ＭＢＳＦＮ同期エリアを設定する。ｅＮＢ２００は、受信した信号に基づき、ＭＢＳＦＮ同期エリア＃１を設定する。
【００７６】
これにより、ＭＢＳＦＮ同期エリア＃１が設定されたＭＢＳＦＮエリア＃１とＭＢＳＦＮエリア＃２とＭＢＳＦＮエリア＃３との間で同期がとられている。
【００７７】
ステップＳ２０２において、ＯＡＭ４００は、ＭＢＳＦＮエリア＃１が設定されているセルを管理するｅＮＢ２００−１〜２００−３に対して、ＭＢＳＦＮエリア＃１のＤ２Ｄ用無線リソース（リソースプール＃１）と、ＭＢＳＦＮ同期エリア＃１内の他のＭＢＳＦＮエリア＃２、＃３の無線リソース（リソースプール＃２、＃３）とを通知する。
【００７８】
ステップＳ２０３において、ｅＮＢ２００−３は、管理するセル＃３に対して、通知されたＭＢＳＦＮエリア＃１、＃２、＃３に対応付けられたリソースプール＃１、＃２、＃３を同報配信する。セル＃３に在圏するＵＥ１００−３は、同報配信されたリソースプール＃１、＃２、＃３を受信する。
【００７９】
ステップＳ２０４において、ＯＡＭ４００は、ＭＢＳＦＮエリア＃２が設定されているセルを管理するｅＮＢ２００−４、２００−５に対して、ＭＢＳＦＮエリア＃２のＤ２Ｄ用無線リソース（リソースプール＃２）と、ＭＢＳＦＮ同期エリア＃１内の他のＭＢＳＦＮエリア＃１、＃３の無線リソース（リソースプール＃１、＃３）とを通知する。
【００８０】
ステップＳ２０５において、ｅＮＢ２００−４は、管理するセル＃４に対して、通知されたＭＢＳＦＮエリア＃１、＃２、＃３に対応付けられたリソースプール＃１、＃２、＃３を同報配信する。セル＃４に在圏するＵＥ１００−４は、同報配信されたリソースプール＃１、＃２、＃３を受信する。
【００８１】
ステップＳ２０６において、ＵＥ１００−３は、セル＃４のＤ２Ｄ用無線リソース（リソースプール＃２）を用いて、ＵＥ＃１００−４とＤ２Ｄ  Ｄｉｓｃｏｖｅｒｙ／Ｃｏｍｍｕｎｉｃａｔｉｏｎを行う。また、ＵＥ１００−４は、セル＃３のＤ２Ｄ用無線リソース（リソースプール＃１）を用いて、ＵＥ１００−３とＤ２Ｄ  Ｄｉｓｃｏｖｅｒｙ／Ｃｏｍｍｕｎｉｃａｔｉｏｎを行う。
【００８２】
ステップＳ２０７及びＳ２０８は、ステップＳ２０２及びＳ２０３に対応するＭＢＳＦＮエリア＃３における動作である。
【００８３】
上述したように、第２の実施形態によれば、ＯＡＭ４００が異なるＭＢＳＦＮエリアにＭＢＳＦＮ同期エリアを設定することで、ＭＢＳＦＮエリア間における同期を提供できる。また、ＯＡＭ４００が所定セルを管理するｅＮＢ２００のそれぞれに対して、ＭＢＳＦＮ同期エリアのうち自ＭＢＳＦＮエリアの無線リソースに加えて、他ＭＢＳＦＮエリアの無線リソースを通知することで、各ＭＢＳＦＮエリア間でＤ２Ｄ無線リソースを共有できる。これにより、無線基地局間インターフェイスによるＩｎｔｅｒ−ｃｅｌｌ  ｃｏｏｒｄｉｎａｔｉｏｎが行われない場合であってもＩｎｔｅｒ−ｃｅｌｌ  Ｄ２Ｄサービスを実現できる。
【００８４】
［第３の実施形態］
（動作概要）
第３の実施形態は、第２の実施形態とＯＡＭ４００からｅＮＢ２００に通知する情報が異なる。具体的には、図１２に示すように、第３の実施形態では、ＯＡＭ４００がｅＮＢ２００に対して自ＭＢＳＦＮエリアと異なるＭＢＳＦＮエリアとの同期のずれを通知する。同期のずれとは、ＭＢＳＦＮエリア間のシステムフレーム番号（Ｓｙｓｔｅｍ  Ｆｒａｍｅ  Ｎｕｍｂｅｒ：ＳＦＮ）及びサブフレームのオフセットである。図１２の例では、ＯＡＭ４００は、ＭＢＳＦＮエリア＃１が設定されたセルを管理するｅＮＢ２００に対して、ＭＢＳＦＮエリア＃１と他のＭＢＳＦＮエリア＃２との同期のずれ及びＭＢＳＦＮエリア＃１と他のＭＢＳＦＮエリア＃３との同期のずれを通知する。そして、ＵＥ１００は、自ＭＢＳＦＮエリアのＳＦＮ及びサブフレームと、他のＭＢＳＦＮエリアとのＳＦＮ及びサブフレームとのオフセットとに基づき、他のセルのＳＦＮ及びサブフレームを特定する。これにより、Ｉｎｔｅｒ−ｃｅｌｌ  Ｄ２Ｄサービスを実行できる。
【００８５】
（シーケンス）
図１３は、第３の実施形態におけるシーケンス図である。図１３のシーケンス図の前提として、ｅＮＢ２００−１、２００−２、２００−３にはＭＢＳＦＮエリア＃１が設定されており、ｅＮＢ２００−４、２００−５にはＭＢＳＦＮエリア＃２が設定されており、ｅＮＢ２００−６にはＭＢＳＦＮエリア＃３が設定されている。図１３の例では、ｅＮＢ２００−３が管理するセル＃３に在圏するＵＥ１００−３と、ｅＮＢ２００−４が管理するセル＃４に在圏するＵＥ１００−４とがＩｎｔｅｒ−ｃｅｌｌ  Ｄ２Ｄサービスを行うまでの動作手順を示している。なお、ｅＮＢ２００及びＭＢＳＦＮエリアの数は任意であってよい。
【００８６】
ステップＳ３０１において、ＯＡＭ４００は、ＭＢＳＦＮエリア＃１が設定されたセルを管理するｅＮＢ２００−１〜２００−３に対して、ＭＢＳＦＮエリア＃１において共通するＤ２Ｄ用無線リソース（リソースプール＃１）を通知する。
【００８７】
ステップＳ３０２において、ＯＡＭ４００は、ＭＢＳＦＮエリア＃１が設定されているセルを管理するｅＮＢ２００−１〜２００−３に対して、他のＭＢＳＦＮエリア＃２、＃３の周波数及びＤ２Ｄ用無線リソース並びにＭＢＳＦＮエリア＃１と他のＭＢＳＦＮエリア＃２、＃３とのＳＦＮ及びサブフレームのオフセットを通知する。
【００８８】
ステップＳ３０３において、ｅＮＢ２００−３は、管理するセル＃３に対して、通知されたＭＢＳＦＮエリア＃１の無線リソース、ＭＢＳＦＮエリア＃２、＃３の周波数及びＤ２Ｄ用無線リソース並びにＭＢＳＦＮエリア＃１と他のＭＢＳＦＮエリア＃２、＃３とのオフセットを同報配信する。セル＃３に在圏するＵＥ１００−３は、セル＃３に同報配信された情報を受信する。
【００８９】
ステップＳ３０４において、ＯＡＭ４００は、ＭＢＳＦＮエリア＃２が設定されたセルを管理するｅＮＢ２００−４、２００−５に対して、ＭＢＳＦＮエリア＃２において共通するＤ２Ｄ用無線リソース（リソースプール＃２）を通知する。
【００９０】
ステップＳ３０５において、ＯＡＭ４００は、ＭＢＳＦＮエリア＃２が設定されているセルを管理するｅＮＢ２００−４、２００−５に対して、他のＭＢＳＦＮエリア＃１、＃３の周波数及びＤ２Ｄ用無線リソース並びにＭＢＳＦＮエリア＃１と他のＭＢＳＦＮエリア＃１、＃３とのＳＦＮ及びサブフレームのオフセットを通知する。
【００９１】
ステップＳ３０６において、ｅＮＢ２００−４は、管理するセル＃４に対して、通知されたＭＢＳＦＮエリア＃２のＤ２Ｄ用無線リソース、ＭＢＳＦＮエリア＃１、＃３の周波数及びＤ２Ｄ用無線リソース並びにＭＢＳＦＮエリア＃１と他のＭＢＳＦＮエリア＃１、＃３とのオフセットを同報配信する。セル＃４に在圏するＵＥ１００−４は、セル＃４に同報配信された情報を受信する。
【００９２】
ステップＳ３０７において、ＵＥ１００−３、１００−４は、自ＭＢＳＦＮエリアのＤ２Ｄ用無線リソース及び自ＭＢＳＦＮエリアと他のＭＢＳＦＮエリアとの同期のずれ（ＳＦＮ及びサブフレームのオフセット）に基づき、他のＭＢＳＦＮエリアのＤ２Ｄ用無線リソースを推定する。そして、ＵＥ１００−３は、推定されたセル＃４のＤ２Ｄ用無線リソース（リソースプール＃２）を用いて、ＵＥ＃１００−４とＤ２Ｄ  Ｄｉｓｃｏｖｅｒｙ／Ｃｏｍｍｕｎｉｃａｔｉｏｎを行う。また、ＵＥ１００−４は、推定されたセル＃３のＤ２Ｄ用無線リソース（リソースプール＃１）を用いて、ＵＥ１００−３とＤ２Ｄ  Ｄｉｓｃｏｖｅｒｙ／Ｃｏｍｍｕｎｉｃａｔｉｏｎを行う。
【００９３】
上述したように、第３の実施形態によれば、ＯＡＭ４００が所定セルを管理するｅＮＢ２００のそれぞれに対して、自ＭＢＳＦＮエリアのＤ２Ｄ用無線リソースに加えて、他ＭＢＳＦＮエリアのＤ２Ｄ用無線リソース及び他ＭＢＳＦＮエリアとの同期のずれを通知することで、各ＭＢＳＦＮエリア間でＤ２Ｄ用無線リソースを共有できる。これにより、無線基地局間インターフェイスによるＩｎｔｅｒ−ｃｅｌｌ  ｃｏｏｒｄｉｎａｔｉｏｎが行われない場合であってもＩｎｔｅｒ−ｃｅｌｌ  Ｄ２Ｄサービスを実現できる。
【００９４】
（Ｄ２Ｄ用無線リソースを含むＳＩＢの構成）
上述したように、Ｄ２Ｄ用無線リソースは、既存のＳＩＢ、例えばＳＩＢ１３又はＤ２Ｄ用の新たなＳＩＢに含めて同報配信される。Ｄ２Ｄ用無線リソースを含むＳＩＢの情報要素の一例を図１４及び図１５に示す。図１４及び図１５に示すように、実施形態におけるＳＩＢには、自セル及び他のセルに設定されたＭＢＳＦＮエリアのリスト等が含まれる。なお、図１４の例における自セルの情報「Ｄ２Ｄ−ＡｒｅａＩｎｆｏ−ｒ１２」における下りリンクの周波数「ｄｌ−ＣａｒｒｉｅｒＦｒｅｑ」は、上りリンクの周波数であってもよい。
【００９５】
なお、第１の実施形態及び第２の実施形態におけるＳＢＩの情報要素には、「ｎｅｉｇｈＡｒｅａ−ＴｉｍｅＧａｐＩｎｆｏＬｉｓｔ」、「ｏｆｆｓｅｔ−Ｓｕｂｆｒａｍｅ」及び「ｏｆｆｓｅｔ−ＳＦＮ」が含まれていない又は未設定であってもよい。
【００９６】
［他の実施形態］
上述した実施形態では、移動通信システムの一例としてＬＴＥシステムを説明したが、ＬＴＥシステムに限定されるものではなく、ＬＴＥシステム以外のシステムに本発明を適用してもよい。
【００９７】
日本国特許出願第２０１４−０５９２８０号（２０１４年３月２０日出願）の全内容が、参照により本願明細書に組み込まれている。
【産業上の利用可能性】
【００９８】
本発明は、移動通信等の無線通信分野において有用である。
【図１】
0006461915.tif 000002
【図２】
0006461915.tif 000003
【図３】
0006461915.tif 000004
【図４】
0006461915.tif 000005
【図５】
0006461915.tif 000006
【図６】
0006461915.tif 000007
【図７】
0006461915.tif 000008
【図８】
0006461915.tif 000009
【図９】
0006461915.tif 000010
【図１０】
0006461915.tif 000011
【図１１】
0006461915.tif 000012
【図１２】
0006461915.tif 000013
【図１３】
0006461915.tif 000014
【図１４】
0006461915.tif 000015
【図１５】
0006461915.tif 000016